(57)【要約】【課題】タブ群から絶縁カバーに作用する反力に伴ってカバー係合部による蓋構成部材への係合が解除することを抑制すること。【解決手段】第１絶縁カバー４１は、対向方向における電極組立体１２側から正極タブ群２５ａ及び負極タブ群２６ａの第２延設部と当接するカバータブ部４２を有する。第１絶縁カバー４１は、隣接方向にてカバータブ部４２と隣接するカバー隣接部４３と、カバータブ部４２とカバー隣接部４３とを連結するカバー連結部４７と、を有する。カバー隣接部４３の第１方向Ｘの先端側の端部には、カバー隣接部４３から対向方向の蓋１４側に突出するとともに蓋構成部材Ｗに係合するカバー係合部４５ｃが設けられている。第１絶縁カバー４１は、隣接方向でカバータブ部４２とカバー隣接部４３との間に設けられたカバースリット部４１ｓを有する。【選択図】図１
2020166955.tif 000002
【特許請求の範囲】
【請求項１】
複数の電極が積層して層状構造をなすとともに前記電極から突出したタブが積層したタブ群を有する電極組立体と、前記電極組立体を収容するケース本体と、前記ケース本体の開口部を閉塞する蓋と、前記タブ群と接続する電極端子と、前記蓋と前記電極組立体との間に位置する絶縁カバーと、を備える蓄電装置であって、
前記蓋と前記電極端子は互いに固定されて蓋構成部材として一体化されており、
前記タブ群は、
複数の前記電極の積層方向の一方に向けて複数の前記タブが寄せ集められるとともに、前記積層方向の他方に向けて複数の前記タブが折り曲げられてなる第１曲部と、
前記第１曲部から前記積層方向の他方に向けて複数の前記タブが延設されてなる第１延設部と、
前記第１延設部の前記積層方向の他方の端部から、前記蓋と前記電極組立体との対向方向における前記電極組立体側に向けて複数の前記タブが折り曲げられてなる第２曲部と、
前記第２曲部から複数の前記タブが延設されてなる第２延設部と、を有し、
前記絶縁カバーは、
前記蓋に対向する面と前記電極組立体に対向する面とが表裏で延びる板状であるとともに、前記対向方向における前記電極組立体側から前記第２延設部と当接するカバータブ部と、
前記積層方向及び前記対向方向の両方向と直交する方向である隣接方向にて前記カバータブ部と隣接するとともに、前記蓋に対向する面と前記電極組立体に対向する面とを表裏に有する板状をなすカバー隣接部と、
前記カバータブ部と前記カバー隣接部とを前記隣接方向に連結するカバー連結部と、
前記カバー隣接部から前記対向方向の前記蓋側に突出するとともに、前記ケース本体内で前記蓋構成部材に係合するカバー係合部と、
前記隣接方向で前記カバータブ部と前記カバー隣接部との間に設けられ、前記カバー連結部を除く前記絶縁カバーにあって、前記絶縁カバーにおける前記積層方向の両端部のうち前記積層方向の一方の端部から前記積層方向の他方の端部に向けて延びるカバースリット部と、を有する蓄電装置。
【請求項２】
前記カバー係合部は、前記カバー隣接部の前記積層方向の一方の端部から突出している請求項１に記載の蓄電装置。
【請求項３】
前記カバー連結部は、前記カバータブ部及び前記カバー隣接部の前記積層方向の他方の端部から前記対向方向の前記蓋側に立設しており、
前記カバースリット部は、前記絶縁カバーにおける前記積層方向の一方の端部から前記積層方向の他方の端部まで延びている請求項１又は請求項２に記載の蓄電装置。
【発明の詳細な説明】
【技術分野】
【０００１】
本発明は、蓄電装置に関する。
【背景技術】
【０００２】
特許文献１に記載の蓄電装置は、複数の電極が積層して層状構造をなすとともに電極から突出したタブが積層したタブ群を有する電極組立体を備える。この蓄電装置では、ケース本体に電極組立体が収容され、ケース本体の開口部が蓋によって閉塞される。また、蓄電装置は、タブ群と接続する電極端子と、蓋と電極組立体との間に位置する絶縁カバーと、を備える。蓋と電極端子とは、互いに固定されて蓋構成部材として一体化される。
【０００３】
特許文献１に記載の蓄電装置においては、タブ群が湾曲した状態でケース本体に電極組立体が収容される。湾曲したタブ群は、第１曲部と、第１延設部と、第２曲部と、第２延設部と、を有する。第１曲部は、複数の電極の積層方向の一方である積層方向一方に向けて複数のタブが寄せ集められるとともに、複数の電極の積層方向の他方である積層方向他方に向けて複数のタブが折り曲げられて形成される。第１延設部は、第１曲部から積層方向他方に向けて複数のタブが延設されて形成される。第２曲部は、第１延設部の積層方向他方の端部から、蓋と電極組立体との対向方向における電極組立体側に向けて複数のタブが折り曲げられて形成される。第２延設部は、第２曲部から複数のタブが延設されて形成される。
【０００４】
また、特許文献１に記載の蓄電装置において、絶縁カバーの一部分がカバータブ部となっている。カバータブ部は、上記対向方向における電極組立体側からタブ群の第２延設部に当接することによりタブ群を支持する部分のことである。
【先行技術文献】
【特許文献】
【０００５】
【特許文献１】特開２０１８−１８７０４号公報
【発明の概要】
【発明が解決しようとする課題】
【０００６】
蓄電装置の絶縁カバーにおいては、カバータブ部から上記対向方向の蓋側に突出するカバー係合部を設けることが考えられる。カバー係合部は、蓋構成部材に係合することにより、絶縁カバーの位置を固定する部分のことである。
【０００７】
ところで、タブ群の第２延設部に当接するカバータブ部がタブ群の第２延設部の反力を受けることにより、カバータブ部が上記対向方向における電極組立体側へと変位するおそれがある。上記のようにカバー係合部がカバータブ部に位置する場合、カバータブ部の変位に伴ってカバー係合部も同様に変位するため、カバー係合部が蓋構成部材から離れてしまい、カバー係合部による蓋構成部材への係合が解除してしまうおそれがある。
【０００８】
本発明は、上記課題を解決するためになされたものであり、その目的は、タブ群から絶縁カバーに作用する反力に伴ってカバー係合部による蓋構成部材への係合が解除することを抑制できる蓄電装置を提供することにある。
【課題を解決するための手段】
【０００９】
上記課題を解決する蓄電装置は、複数の電極が積層して層状構造をなすとともに前記電極から突出したタブが積層したタブ群を有する電極組立体と、前記電極組立体を収容するケース本体と、前記ケース本体の開口部を閉塞する蓋と、前記タブ群と接続する電極端子と、前記蓋と前記電極組立体との間に位置する絶縁カバーと、を備える蓄電装置であって、前記蓋と前記電極端子は互いに固定されて蓋構成部材として一体化されており、前記タブ群は、複数の前記電極の積層方向の一方に向けて複数の前記タブが寄せ集められるとともに、前記積層方向の他方に向けて複数の前記タブが折り曲げられてなる第１曲部と、前記第１曲部から前記積層方向の他方に向けて複数の前記タブが延設されてなる第１延設部と、前記第１延設部の前記積層方向の他方の端部から、前記蓋と前記電極組立体との対向方向における前記電極組立体側に向けて複数の前記タブが折り曲げられてなる第２曲部と、前記第２曲部から複数の前記タブが延設されてなる第２延設部と、を有し、前記絶縁カバーは、前記蓋に対向する面と前記電極組立体に対向する面とが表裏で延びる板状であるとともに、前記対向方向における前記電極組立体側から前記第２延設部と当接するカバータブ部と、前記積層方向及び前記対向方向の両方向と直交する方向である隣接方向にて前記カバータブ部と隣接するとともに、前記蓋に対向する面と前記電極組立体に対向する面とを表裏に有する板状をなすカバー隣接部と、前記カバータブ部と前記カバー隣接部とを前記隣接方向に連結するカバー連結部と、前記カバー隣接部から前記対向方向の前記蓋側に突出するとともに、前記ケース本体内で前記蓋構成部材に係合するカバー係合部と、前記隣接方向で前記カバータブ部と前記カバー隣接部との間に設けられ、前記カバー連結部を除く前記絶縁カバーにあって、前記絶縁カバーにおける前記積層方向の両端部のうち前記積層方向の一方の端部から前記積層方向の他方の端部に向けて延びるカバースリット部と、を有することを特徴とする。
【００１０】
上記構成によれば、カバータブ部とカバー隣接部との間にカバースリット部が延びているため、タブ群の第２延設部からカバータブ部が受けた反力がカバー隣接部にまで作用しにくい。カバー隣接部に反力が作用しにくいことでカバー隣接部がカバータブ部の変位に倣って変位しにくくなるため、カバー隣接部に位置するカバー係合部も変位しにくくなる。したがって、タブ群から絶縁カバーに作用する反力に伴ってカバー係合部による蓋構成部材への係合が解除することを抑制できる。
【００１１】
蓄電装置において、前記カバー係合部は、前記カバー隣接部の前記積層方向の一方の端部から突出していることが好ましい。
タブ群の第２延設部では第２曲部を起点として折り曲がりを解除しようとする反力が生じるため、生じる反力はタブ群の先端側ほど大きくなる。そのため、絶縁カバーの積層方向の一方側の部分ほど、タブ群の第２延設部から受ける反力による変位量が大きくなる。上記構成のように、カバー係合部がカバー隣接部の積層方向の一方の端部から突出しているものである場合、タブ群の第２延設部から受ける反力による変位量が最も大きい部分にカバー係合部が位置することとなるため、カバー隣接部の変位に伴って蓋構成部材へのカバー係合部の係合が解除されやすい。上記構成によれば、そうした解除されやすい蓋構成部材へのカバー係合部の係合態様においても、カバースリット部によって蓋構成部材へのカバー係合部の係合の解除を抑制できる。
【００１２】
蓄電装置において、前記カバー連結部は、前記カバータブ部及び前記カバー隣接部の前記積層方向の他方の端部から前記対向方向の前記蓋側に立設しており、前記カバースリット部は、前記絶縁カバーにおける前記積層方向の一方の端部から前記積層方向の他方の端部まで延びていることが好ましい。
【００１３】
上記構成によれば、タブ群の第２延設部の反力が作用するカバータブ部に対して上記積層方向の全体でカバー隣接部が隔絶されるため、タブ群の第２延設部の反力がよりカバー隣接部に作用しにくい。そのため、蓋構成部材へのカバー係合部の係合の解除をさらに抑制できる。
【発明の効果】
【００１４】
この発明によれば、タブ群から絶縁カバーに作用する反力に伴ってカバー係合部による蓋構成部材への係合が解除することを抑制できる。
【図面の簡単な説明】
【００１５】
【図１】実施形態の二次電池の分解斜視図。
【図２】二次電池の断面図。
【図３】ホルダ及び導電部材が取り付けられた蓋をケースの内側から見た状態で示す斜視図。
【図４】図２の４−４線における断面図。
【図５】図２の５−５線における断面図。
【図６】蓋構成部材及び絶縁カバーを示す上面図。
【図７】絶縁カバーを示す上面図。
【図８】第１絶縁カバーが蓋構成部材に組み付けられる様子を説明するための図。
【図９】第１絶縁カバーが蓋構成部材に組み付けられた状態を示す斜視図。
【発明を実施するための形態】
【００１６】
以下、蓄電装置を二次電池に具体化した実施形態について図１〜図９にしたがって説明する。
図１に示すように、蓄電装置としての二次電池１０は、ケース１１を備えている。二次電池１０は、ケース１１に収容された電極組立体１２を備えている。ケース１１は、直方体状のケース本体１３と、ケース本体１３に組み付いてケース本体１３の開口部１３ａを閉塞する平面視で矩形をなす板状の蓋１４とを有している。ケース１１を構成するケース本体１３と蓋１４とは、何れも金属製（例えば、ステンレスやアルミニウム）である。また、本実施形態の二次電池１０は、その外観が角型をなす角型電池である。また、本実施形態の二次電池１０は、リチウムイオン二次電池である。
【００１７】
ケース本体１３は、平面視で矩形をなす板状の底壁１３ｂと、底壁の周縁から立設した側壁と、を有する。ケース本体１３の側壁は、一対の長側壁１３ｃと、一対の短側壁１３ｄと、を有する。一対の長側壁１３ｃのうちの一方は、底壁１３ｂの一対の長側縁の一方から立設された側壁であり、一対の長側壁１３ｃのうちの他方は、底壁１３ｂの一対の長側縁の他方から立設された側壁である。一対の短側壁１３ｄのうちの一方は、底壁１３ｂの一対の短側縁の一方から立設された側壁であり、一対の短側壁１３ｄのうちの他方は、底壁１３ｂの一対の短側縁の他方から立設された側壁である。以下、長側壁１３ｃ及び短側壁１３ｄが立設する方向を立設方向という。また、ケース本体１３の開口部１３ａは、一対の長側壁１３ｃ及び一対の短側壁１３ｄの先端部分によって区画形成されている。
【００１８】
図２及び図３に示すように、蓋１４は、矩形板状の蓋本体部１６ａと、蓋本体部１６ａよりも外形の小さい矩形板状の蓋インロー部１６ｂと、を有する。なお、インローとは、嵌め合いにより位置決めを行う構造を示し、蓋インロー部１６ｂは、蓋本体部１６ａよりも外形が小さい。また、蓋インロー部１６ｂは、蓋本体部１６ａからケース本体１３内に向けて突出した形状であり、ケース本体１３の開口部１３ａ内に嵌め合わされる。なお、本実施形態の蓋インロー部１６ｂは矩形板状をなすが、内側に肉の無い、いわゆる凸条により形成されていてもよい。蓋本体部１６ａは立設方向においてケース本体１３の外側に位置しているとともに、蓋インロー部１６ｂは立設方向においてケース本体１３の内側に位置している。以下では、蓋１４のうち、蓋インロー部１６ｂのケース１１の内側に臨む面を蓋１４の下面１４ａといい、蓋本体部１６ａのケース１１の外側に臨む面を蓋１４の上面１４ｂという。蓋１４は、ケース本体１３の開口部１３ａを閉塞した状態でケース本体１３に組み付けられている。ケース１１において、ケース本体１３の長側壁１３ｃ及び短側壁１３ｄの先端面上に蓋１４が載置される。
【００１９】
図４又は図５に示すように、電極組立体１２は、シート状の複数の正極電極２１と、シート状の複数の負極電極２２と、シート状の複数のセパレータ２３とを備えている。電極組立体１２は、正極電極２１と負極電極２２との間にセパレータ２３を介在させ、且つ絶縁された状態で積層した層状構造をなしている。正極電極２１は、シート状の正極金属箔２１ａ（例えばアルミニウム箔）の両面に正極活物質層２１ｂを有する構成である。正極電極２１は、縁部の一部から突出した正極タブ２５を有している。正極タブ２５は、正極金属箔２１ａそのもので構成されている。負極電極２２は、シート状の負極金属箔２２ａ（例えば銅箔）の両面に負極活物質層２２ｂを有する構成である。負極電極２２は、縁部の一部から突出した負極タブ２６を有している。負極タブ２６は、負極金属箔２２ａそのもので構成されている。
【００２０】
図１に示すように、複数の正極タブ２５及び複数の負極タブ２６は、正極電極２１及び負極電極２２が積層された状態で、正極タブ２５と負極タブ２６とが重ならない位置に存在する。セパレータ２３は、絶縁性を有し、正極電極２１と負極電極２２とを絶縁する。正極電極２１、負極電極２２、及びセパレータ２３の積層方向が電極組立体１２の積層方向である。電極組立体１２の積層方向を、以下では単に積層方向という。電極組立体１２は、タブ側端面１２ａを備えている。タブ側端面１２ａは、積層方向に直交する方向における電極組立体１２の４つの端面のうち、正極タブ２５及び負極タブ２６が突出する端面である。タブ側端面１２ａは、正極電極２１の縁部のうちで正極タブ２５が突出する縁部と、負極電極２２の縁部のうちで負極タブ２６が突出する縁部と、セパレータ２３の縁部と、が寄せ集められて形成されている。
【００２１】
また、電極組立体１２は、タブ側端面１２ａから突出した正極タブ群２５ａを有している。正極タブ群２５ａは、積層方向の一方に向けて全ての正極タブ２５を寄せ集め、積層して構成されている。なお、積層方向の一方に向かう方向を第１方向Ｘとする。また、電極組立体１２は、タブ側端面１２ａから突出した負極タブ群２６ａを有している。負極タブ群２６ａは、第１方向Ｘに沿って全ての負極タブ２６を寄せ集め、積層して構成されている。電極組立体１２がケース本体１３に収容された状態では、正極タブ群２５ａ及び負極タブ群２６ａがそれぞれで湾曲している。正極タブ群２５ａ及び負極タブ群２６ａは、蓋１４と電極組立体１２との対向方向において、蓋１４の下面１４ａと電極組立体１２のタブ側端面１２ａとの間にて湾曲している。蓋１４と電極組立体１２との対向方向は立設方向と一致する。蓋１４と電極組立体１２との対向方向を、以下では対向方向という。
【００２２】
図５に示すように、負極タブ群２６ａは、第１曲部２７ａ、第１延設部２７ｂ、第２曲部２７ｃ、及び第２延設部２７ｄを有する。第１曲部２７ａは、第１方向Ｘに沿って寄せ集められた複数の負極タブ２６が、積層方向の他方に向けて折り曲げられることにより形成されている。なお、積層方向の他方に向かう方向を第２方向Ｙとする。第１延設部２７ｂは、第１曲部２７ａから積層方向他方である第２方向Ｙの先端側に向けて複数の負極タブ２６が延設されることにより形成されている。第２曲部２７ｃは、第１延設部２７ｂにおける第２方向Ｙの先端側の端部から、対向方向における電極組立体１２側に向けて複数の負極タブ２６が折り曲げられて形成されている。第２延設部２７ｄは、第２曲部２７ｃから積層方向一方である第１方向Ｘの先端側に向かって複数の負極タブ２６が延設されて形成されている。なお、正極タブ群２５ａも負極タブ群２６ａと同様に、第１曲部２７ａ、第１延設部２７ｂ、第２曲部２７ｃ、及び第２延設部２７ｄを有する。上述した図５に基づいた負極タブ群２６ａの構成の説明にて、負極タブ群２６ａを正極タブ群２５ａと読み替えるとともに、負極タブ２６を正極タブ２５と読み替えれば、正極タブ群２５ａの構成を説明できる。
【００２３】
図１及び図２に示すように、二次電池１０は、電極組立体１２と電気的に接続される電極端子１５を備えている。電極組立体１２は、電極端子１５を介して外部機器と電気的に接続される。電極端子１５は、蓋１４に固定されている。電極端子１５は、引出端子１９ａを備えている。引出端子１９ａの一部は、蓋１４の上面１４ｂよりも外側に突出している。引出端子１９ａは、正極電極２１及び負極電極２２に対応する正極引出端子及び負極引出端子を備えている。
【００２４】
一対の電極端子１５は、それぞれ蓋１４の上面１４ｂで引出端子１９ａと電気的に接続された平板状の端子接続部材１９ｂと、蓋１４の外側で端子接続部材１９ｂと電気的に接続された外部接続端子１９ｃとを備えている。電極端子１５は、端子接続部材１９ｂ及び外部接続端子１９ｃを蓋１４から絶縁する外側絶縁部材１９ｄを蓋１４の上面１４ｂに備えている。電極組立体１２及び蓋１４は、正極タブ群２５ａ及び負極タブ群２６ａと一対の電極端子１５とを介して一体化されている。
【００２５】
図２に示すように、電極端子１５は、導電部材１７を備えている。導電部材１７は、正極電極２１及び負極電極２２に対応する正極導電部材及び負極導電部材を備えている。各導電部材１７は、蓋１４の下面１４ａと電極組立体１２のタブ側端面１２ａとの間に配置されている。
【００２６】
図３に示すように、各導電部材１７は全体形状が矩形平板状であり、蓋１４の下面１４ａと電極組立体１２のタブ側端面１２ａとに沿って延びている。各導電部材１７は、電極組立体１２のタブ側端面１２ａと対向する各導電部材１７の端面である下端面１７ａの一部が凹んだ凹部１７ｂを有する。凹部１７ｂは、各導電部材１７の長手方向の途中位置に設けられている。また、凹部１７ｂは、各導電部材１７の短手方向の両先端縁のうち第２方向Ｙでの先端縁と短手方向の途中位置との間に設けられている。凹部１７ｂの下端面１７ａは、凹部１７ｂ以外の部分での各導電部材１７の下端面１７ａから傾斜している。凹部１７ｂの下端面１７ａは、各導電部材１７における第２方向Ｙでの先端縁から短手方向の途中位置にかけて、凹部１７ｂ以外の各導電部材１７の下端面１７ａに近づく態様となっている。
【００２７】
電極端子１５は、各導電部材１７を支持する樹脂製のホルダ３０を備えている。各ホルダ３０は、蓋１４の下面１４ａに固定されている。各ホルダ３０は、各導電部材１７とほぼ同じ外形を有する矩形平板状の平板部３１を有する。平板部３１は、各導電部材１７とほぼ同じ外形を有し、対向方向において導電部材１７と蓋１４との間に介在している。また、各ホルダ３０は、平板部３１の長手方向の端部であって、蓋１４の長手方向の両端部に位置する支持部３２を有する。支持部３２は、平板部３１の積層方向の両端から対向方向の電極組立体１２側に向けて突出する矩形平板状の一対の第１支持部３２ａと、平板部３１の長手方向の端部から対向方向の電極組立体１２側に向けて突出する第２支持部３２ｂと、を有する。一対の第１支持部３２ａは、平板部３１の長手方向の端部に沿って延びている。第２支持部３２ｂは、平板部３１の短手方向の端部に沿って延びている。蓋１４の長手方向外側に位置する一対の第１支持部３２ａの長手方向の端部を、第２支持部３２ｂが繋いでいる。一対の第１支持部３２ａの積層方向での間隔の大きさは、導電部材１７の短手方向での大きさと同程度である。そのため、導電部材１７の長手方向に延びる縁部が一対の第１支持部３２ａによって支持され、導電部材１７の短手方向に延びる縁部が第２支持部３２ｂによって支持されている。また、第２支持部３２ｂは、長手方向の全体にホルダ凹部３２ｃを有している。ホルダ凹部３２ｃは、蓋１４の長手方向外側から内側に向かう方向に沿って第２支持部３２ｂから凹んでなるものであり、対向方向において第２支持部３２ｂのうちの蓋１４側の一部分に位置している。
【００２８】
図２又は図５に示すように、導電部材１７は、互いに同一の極性を有する引出端子１９ａと接合されている。また、導電部材１７は、互いに同一の極性を有する正極タブ群２５ａ又は負極タブ群２６ａと接合されている。詳しくは、正極タブ群２５ａの第１延設部２７ｂと導電部材１７の下端面１７ａとが接合されている。これにより、一方の電極端子１５は正極タブ群２５ａと電気的に接続され、他方の電極端子１５は負極タブ群２６ａと電気的に接続されている。そして、一方の電極端子１５は、導電部材１７及び正極タブ群２５ａを介して電極組立体１２と電気的に接続されている。他方の電極端子１５は、導電部材１７及び負極タブ群２６ａを介して電極組立体１２と電気的に接続されている。
【００２９】
本実施形態の電極端子１５は、引出端子１９ａ、端子接続部材１９ｂ、外部接続端子１９ｃ、外側絶縁部材１９ｄ、導電部材１７、及びホルダ３０を含んでいる。そして、この電極端子１５と蓋１４とが互いに固定されることにより、電極端子１５と蓋１４とが蓋構成部材Ｗとして一体化されている。
【００３０】
図１、図６、及び図７に示すように、対向方向における蓋１４と電極組立体１２との間にあって、各導電部材１７及びホルダ３０と電極組立体１２のタブ側端面１２ａとの間には、絶縁カバー４０が配置されている。絶縁カバー４０は樹脂製であり、ケース本体１３の一対の長側壁１３ｃ及び一対の短側壁１３ｄと導電部材１７とを絶縁するものである。また絶縁カバー４０は、第１絶縁カバー４１と第２絶縁カバー５１とが組み付けられることにより構成される。なお、本実施形態では、第１絶縁カバー４１及び第２絶縁カバー５１のそれぞれが、長手方向両側で同じ構成を備えるものである。
【００３１】
第１絶縁カバー４１は、蓋１４の下面１４ａ及び電極組立体１２のタブ側端面１２ａと平行をなすように延びる平板状の２つのカバータブ部４２を有する。各カバータブ部４２は、平面視で略矩形状であり、蓋１４の下面１４ａに対向する上端面４２ａと、電極組立体１２のタブ側端面１２ａに対向する下端面４２ｂと、を有する。カバータブ部４２においては、上端面４２ａと下端面４２ｂとが表裏で延びている。各カバータブ部４２の上端面４２ａには、正極タブ群２５ａの第２延設部２７ｄ又は負極タブ群２６ａの第２延設部２７ｄが当接している。これにより、カバータブ部４２が対向方向における電極組立体１２側から第２延設部２７ｄと当接することになり、正極タブ群２５ａ及び負極タブ群２６ａがカバータブ部４２によって対向方向における電極組立体１２側から支持される。
【００３２】
第１絶縁カバー４１は、積層方向及び対向方向の両方向と直交する方向である隣接方向において、カバータブ部４２と隣接する２つのカバー隣接部４３を有する。２つのカバー隣接部４３のうち一方は、２つのカバータブ部４２の一方のカバータブ部４２よりも蓋１４の長手方向一方側にて、上記一方のカバータブ部４２と隣接している。２つのカバー隣接部４３のうち他方は、２つのカバータブ部４２の他方のカバータブ部４２よりも蓋１４の長手方向他方側にて、上記他方のカバータブ部４２と隣接している。
【００３３】
各カバー隣接部４３は、カバータブ部４２と同様に、蓋１４の下面１４ａ及び電極組立体１２のタブ側端面１２ａと平行をなすように延びる平板状であるが、対向方向における平面視での大きさがカバータブ部４２よりも大きい略矩形状である。積層方向における寸法は、カバー隣接部４３よりもカバータブ部４２が短い。また、カバー隣接部４３は、蓋１４の下面１４ａに対向する上端面４３ａと、電極組立体１２のタブ側端面１２ａに対向する下端面４３ｂと、を有する。カバー隣接部４３においては、上端面４３ａと下端面４３ｂとが表裏で延びている。
【００３４】
カバー隣接部４３は、上端面４３ａから対向方向の蓋１４側に向けて突出したリブ４４を備えている。リブ４４は、各カバー隣接部４３にそれぞれ一対設けられている。一対のリブ４４は、各カバー隣接部４３の隣接方向の両端縁に沿って位置している。一対のリブ４４のうち、カバータブ部４２と近接した位置のカバー隣接部４３の端縁に位置するリブ４４を内側リブ４５という。一対のリブ４４のうち、カバータブ部４２から離間した位置のカバー隣接部４３の端縁に位置するリブ４４を外側リブ４６という。内側リブ４５は、カバー隣接部４３の上端面４３ａからの突出方向の先端に、カバー隣接部４３の上端面４３ａと平行に延びる上端面４５ａを有する。内側リブ４５の上端面４５ａは、カバー隣接部４３の上端面４３ａよりも対向方向での蓋１４に近い位置にある。外側リブ４６も同様に、カバー隣接部４３の上端面４３ａからの突出方向の先端に、カバー隣接部４３の上端面４３ａと平行に延びる上端面４６ａを有する。外側リブ４６の上端面４６ａは、カバー隣接部４３の上端面４３ａよりも対向方向での蓋１４に近い位置にあって、内側リブ４５の上端面４５ａと対向方向にて同程度の位置で延びている。
【００３５】
内側リブ４５は、第１方向Ｘの先端側に位置する内側リブ４５の先端部から、対向方向の蓋１４側に向けて突出するカバー突出部４５ｂを備えている。カバー突出部４５ｂは、各カバー隣接部４３の隣接方向の両端部のうち、第１絶縁カバー４１の長手方向内側のカバー隣接部４３の端部から突出している。また、内側リブ４５は、上記カバー突出部４５ｂよりも第１絶縁カバー４１の長手方向の外側に位置するとともに、上端面４５ａから対向方向の蓋１４側に突出するカバー係合部４５ｃを備えている。カバー係合部４５ｃは、各カバー隣接部４３の積層方向の両端部のうち、積層方向一方の端部である第１方向Ｘの先端側の端部から突出している。
【００３６】
第１絶縁カバー４１は、カバータブ部４２とカバー隣接部４３とを隣接方向に連結するカバー連結部４７を有する。カバー連結部４７は、カバータブ部４２及びカバー隣接部４３における第２方向Ｙの先端側の端部から対向方向の蓋１４側に立設する矩形平板状である。カバー連結部４７の長手は隣接方向に延び、カバー連結部４７の短手は対向方向に延びている。また、カバー連結部４７は、第１絶縁カバー４１の長手方向全体に位置している。
【００３７】
第１絶縁カバー４１の長手方向において、カバー連結部４７の両端部には、カバー端壁部４８が繋がっている。カバー端壁部４８は、カバー連結部４７から各カバー隣接部４３の隣接方向の外側の端縁に沿って延びている。カバー端壁部４８は、カバー隣接部４３の隣接方向外側の端縁から対向方向の蓋１４側に延びる矩形平板状の第１端壁部４８ａと、第１端壁部４８ａの対向方向の蓋１４側の端縁から、第１絶縁カバー４１の長手方向内側に向けて延びる矩形平板状の第２端壁部４８ｂと、を有する。第２端壁部４８ｂとカバー隣接部４３の上端面４３ａとの間には、第１端壁部４８ａの対向方向の寸法分の間隙がある。
【００３８】
第１絶縁カバー４１は、隣接方向におけるカバータブ部４２とカバー隣接部４３との間に設けられたカバースリット部４１ｓを有する。カバースリット部４１ｓは、第１絶縁カバー４１における積層方向の両端部のうち、積層方向一方の端部である第１絶縁カバー４１の第１方向Ｘの先端側の端部から、積層方向他方の端部である第２方向Ｙの先端側の端部まで延びている。カバー連結部４７を除く第１絶縁カバー４１へのカバースリット部４１ｓの形成によって、カバータブ部４２とカバー隣接部４３とが積層方向の全体にて隣接方向で隔絶されている。隣接するカバータブ部４２とカバー隣接部４３とは、カバー連結部４７のみによって互いに連結されている。
【００３９】
第２絶縁カバー５１は、矩形平板状の第１カバー部位５２と、第１カバー部位５２の対向方向の蓋１４側の端部から第２方向Ｙの先端側に向けて延びる一対の第２カバー部位５３と、を有する。第１カバー部位５２の長手は隣接方向に延び、第１カバー部位５２の短手は対向方向に延びている。一対の第２カバー部位５３は、隣接方向にて互いに離間して位置している。一対の第２カバー部位５３の長手は隣接方向に延び、第２カバー部位５３の短手は積層方向に延びている。第２絶縁カバー５１は、隣接方向における第１カバー部位５２の両端部から第２方向Ｙの先端側に向けて延びるカバー延設部５４を有する。カバー延設部５４は矩形平板状であり、カバー延設部５４の長手が積層方向に延び、カバー延設部５４の短手が隣接方向に延びている。また、第２絶縁カバー５１は、隣接方向におけるカバー延設部５４の内側の位置にて第１カバー部位５２から第２方向Ｙの先端側に向けて延びるカバー爪部５５を有する。
【００４０】
図３又は図４に示すように、第１絶縁カバー４１の組み付けに際しては、対向方向における蓋１４と電極組立体１２との間にて、蓋構成部材Ｗにおける第２方向Ｙの先端側から第１方向Ｘの先端側に向けて第１絶縁カバー４１を挿入する。第１絶縁カバー４１の挿入時には、第１絶縁カバー４１が導電部材１７の下端面１７ａに沿って移動する。このとき、導電部材１７における第２方向Ｙの先端側の端部から積層方向の途中位置までは、第１絶縁カバー４１のカバー係合部４５ｃが導電部材１７の凹部１７ｂの下端面１７ａに沿って移動する。そのため、導電部材１７における第２方向Ｙの先端側の端部にカバー係合部４５ｃを干渉させずに、第１絶縁カバー４１を第１方向Ｘに移動させることができる。
【００４１】
第１絶縁カバー４１が第１方向Ｘに移動され、第１絶縁カバー４１のカバー係合部４５ｃが導電部材１７における第１方向Ｘの先端側の端部を過ぎると、カバー係合部４５ｃが導電部材１７における第１方向Ｘの先端側の端部に係合する。導電部材１７における第１方向Ｘの先端側の端部のうち、積層方向に直交する方向に延びる面である導電部材１７の側端面にカバー係合部４５ｃが係合することにより、蓋構成部材Ｗにカバー係合部４５ｃが係合することになる。こうして蓋構成部材Ｗにカバー係合部４５ｃが係合することにより、第１絶縁カバー４１の積層方向の位置決めがなされた状態で蓋構成部材Ｗに第１絶縁カバー４１が組み付けられる。
【００４２】
また、図８又は図９に示すように、蓋構成部材Ｗへの第１絶縁カバー４１の挿入時には、導電部材１７のうちでホルダ３０によって周りが支持された部分の下端面１７ａに、カバー隣接部４３の内側リブ４５の上端面４５ａ及び外側リブ４６の上端面４６ａが沿う。第２支持部３２ｂのホルダ凹部３２ｃにおける第２方向Ｙの先端側の端部から、カバー端壁部４８の第２端壁部４８ｂが挿入される。蓋構成部材Ｗに第１絶縁カバー４１が組み付けられた状態では、第２支持部３２ｂのホルダ凹部３２ｃの積層方向の全体にカバー端壁部４８の第２端壁部４８ｂが入り込んだ形となる。これにより、第２支持部３２ｂのホルダ凹部３２ｃにカバー端壁部４８の第２端壁部４８ｂが係合することとなり、このカバー端壁部４８の第２端壁部４８ｂの係合によって第１絶縁カバー４１の対向方向の位置決めがなされる。
【００４３】
カバータブ部４２は、対向方向の負極タブ群２６ａの電極組立体１２側に挿入され、負極タブ群２６ａの第２延設部２７ｄに対向方向における電極組立体１２側から当接した状態となる。また、カバー連結部４７は、積層方向における導電部材１７及び負極タブ群２６ａと、ケース本体１３における第２方向Ｙの先端側の長側壁１３ｃと、の間に位置する。カバー連結部４７によって、ケース本体１３から導電部材１７及び負極タブ群２６ａが絶縁されている。なお、図８及び図９には正極タブ群２５ａの図示を省略しているが、上記負極タブ群２６ａと同様に、正極タブ群２５ａにカバータブ部４２が当接し、カバー連結部４７によってケース本体１３から正極タブ群２５ａが絶縁されている。
【００４４】
図６又は図７に示すように第２絶縁カバー５１の組み付けに際しては、対向方向における蓋１４と電極組立体１２との間にて、蓋構成部材Ｗにおける第１方向Ｘの先端側から第２方向Ｙの先端側に向けて第２絶縁カバー５１を挿入する。この際、第１絶縁カバー４１の内側リブ４５の上端面４５ａのうち、隣接方向にてカバー突出部４５ｂとカバー係合部４５ｃとで挟まれた部分にカバー延設部５４が当接する。これにより、カバー延設部５４が内側リブ４５によって支持され、第２絶縁カバー５１の対向方向の位置決めがなされている。また、第１絶縁カバー４１のカバー突出部４５ｂにおける隣接方向の内側をカバー爪部５５が移動する。そして、カバー爪部５５の先端がカバー突出部４５ｂにおける第２方向の先端側の端部にまで至ると、カバー突出部４５ｂにおける第２方向の先端側の端部にカバー爪部５５が係合する。これにより、第２絶縁カバー５１の積層方向の位置決めがなされている。
【００４５】
また、第２絶縁カバー５１の第１カバー部位５２は、積層方向において、導電部材１７及び正極タブ群２５ａとケース本体１３における第１方向Ｘの先端側の長側壁１３ｃとの間と、導電部材１７及び負極タブ群２６ａとケース本体１３における第１方向Ｘの先端側の長側壁１３ｃとの間と、に位置する。第１カバー部位５２によって、ケース本体１３から導電部材１７、正極タブ群２５ａ、及び負極タブ群２６ａが絶縁されている。
【００４６】
図１に示すように、二次電池１０、ケース本体１３と電極組立体１２との間を絶縁する絶縁フィルムＦを備えている。絶縁フィルムＦによって覆われた電極組立体１２をケース本体１３内に収容するとともに、蓋構成部材Ｗとして電極端子１５と一体化された蓋１４によってケース本体１３の開口部１３ａが閉塞される。そして、ケース本体１３と蓋１４とが溶接等によって接合されることにより、ケース本体１３と蓋１４とが組み付けられて二次電池１０が製造される。
【００４７】
次に、本実施形態での作用について説明する。
二次電池１０においては、正極タブ群２５ａ及び負極タブ群２６ａが湾曲した状態でケース本体１３に電極組立体１２が収容される。そして、対向方向における電極組立体１２側から正極タブ群２５ａの第２延設部２７ｄ及び負極タブ群２６ａの第２延設部２７ｄに第１絶縁カバー４１のカバータブ部４２を当接させている。
【００４８】
ここで、図１又は図５に示すように、正極タブ群２５ａの第２延設部２７ｄ及び負極タブ群２６ａの第２延設部２７ｄでは、折り曲がりを解除しようとする反力が対向方向での電極組立体１２側に向けて生じる。そのため、正極タブ群２５ａの第２延設部２７ｄ及び負極タブ群２６ａの第２延設部２７ｄに当接するカバータブ部４２が上記反力を受けて、カバータブ部４２が対向方向における電極組立体１２側へと変位するおそれがある。また、上記反力は、正極タブ群２５ａの第２曲部２７ｃ及び負極タブ群２６ａの第２曲部２７ｃを起点として生じる。そのため、生じる上記反力は正極タブ群２５ａ及び負極タブ群２６ａの先端側である第１方向Ｘの先端側ほど大きくなる。カバータブ部４２での変位については、積層方向において第１絶縁カバー４１の第１方向Ｘの先端側のカバータブ部４２の部分ほど、上記反力による変位量が大きくなる。
【００４９】
第１絶縁カバー４１では、カバータブ部４２とカバー隣接部４３との間にカバースリット部４１ｓが延びている。そのため、上記反力がカバータブ部４２からカバー隣接部４３にまで作用しにくく、カバー隣接部４３がカバータブ部４２の変位に倣って対向方向における電極組立体１２側へと変位しにくい。
【００５０】
また、カバー隣接部４３では、第１方向Ｘの先端側の端部からカバー係合部４５ｃが突出している。そのため、カバータブ部４２から仮にカバー隣接部４３に上記反力が作用すると、カバータブ部４２の第１方向Ｘの先端側の部分での大きい変位量に倣ってカバー隣接部４３におけるカバー係合部４５ｃの位置が大きく変位して、ケース本体１３内での蓋構成部材Ｗへのカバー係合部４５ｃの係合が解除されやすい。本実施形態では、第１絶縁カバー４１のカバースリット部４１ｓによって、第１絶縁カバー４１の第１方向Ｘの先端側の部分からもカバー隣接部４３における第１方向Ｘの先端側の端部に上記反力が作用しにくいことで、蓋構成部材Ｗへのカバー係合部４５ｃの係合が解除されにくい。
【００５１】
本実施形態では以下の効果を得ることができる。
（１）第１絶縁カバー４１におけるカバータブ部４２とカバー隣接部４３との間にカバースリット部４１ｓが延びているため、正極タブ群２５ａの第２延設部２７ｄ及び負極タブ群２６ａの第２延設部２７ｄからカバータブ部４２が受けた反力がカバー隣接部４３にまで作用しにくい。したがって、蓋構成部材Ｗへのカバー係合部４５ｃの係合の解除を抑制できる。
【００５２】
（２）カバー係合部４５ｃは、カバー隣接部４３の第１方向Ｘの先端側の端部から突出している。上記反力による変位量はカバータブ部４２の第１方向Ｘの先端側の部分で大きいため、カバータブ部４２からカバー隣接部４３に上記反力が作用すると、カバー係合部４５ｃの蓋構成部材Ｗへの係合態様が解除されやすい。本実施形態では、カバータブ部４２からカバー隣接部４３に上記反力が作用しにくいことで、解除されやすい蓋構成部材Ｗへのカバー係合部４５ｃの係合態様においても、第１絶縁カバー４１のカバースリット部４１ｓによって蓋構成部材Ｗへのカバー係合部４５ｃの係合の解除を抑制できる。
【００５３】
（３）カバースリット部４１ｓは、第１絶縁カバー４１における第１方向Ｘの先端側の端部から第２方向Ｙの先端側の端部まで延びている。したがって、上記反力が作用するカバータブ部４２に対して積層方向の全体でカバー隣接部４３が隔絶されるため、上記反力がよりカバー隣接部４３に作用しにくい。そのため、蓋構成部材Ｗへのカバー係合部４５ｃの係合の解除をさらに抑制できる。
【００５４】
なお、上記実施形態は、以下のように変更して実施することができる。上記実施形態及び以下の変更例は、技術的に矛盾しない範囲で互いに組み合わせて実施することができる。
【００５５】
○  カバー隣接部４３でのカバー係合部４５ｃの形成位置は、カバー隣接部４３の隣接方向外側の端部等、適宜変更してもよい。
○  導電部材１７の下端面１７ａに係合用凹部を設け、この導電部材１７の係合用凹部に電極組立体１２側からカバー係合部４５ｃを差し込むことで、カバー係合部４５ｃを導電部材１７に係合させてもよい。また、カバー係合部４５ｃの係合は、ホルダ３０の平板部３１等、導電部材１７以外の蓋構成部材Ｗに行ってもよい。
【００５６】
○  第１絶縁カバー４１におけるカバー係合部４５ｃ及びカバー端壁部４８の第２端壁部４８ｂに加えて、これらカバー係合部４５ｃ及び第２端壁部４８ｂ以外の第１絶縁カバー４１の部分を係合部として蓋構成部材Ｗに係合させてもよい。また、第１絶縁カバー４１におけるカバー端壁部４８の第２端壁部４８ｂに代えて、第２端壁部４８ｂ以外の第１絶縁カバー４１の部分を係合部として蓋構成部材Ｗに係合させてもよい。
【００５７】
○  第１絶縁カバー４１へのカバースリット部４１ｓの延設範囲は、第１絶縁カバー４１における第１方向Ｘの先端側の端部から積層方向の途中位置までとしてもよい。この場合のカバースリット部４１ｓも、カバー連結部４７を除く第１絶縁カバー４１にあって、第１絶縁カバー４１における積層方向の両端部のうち、第１方向Ｘの先端側の端部から第２方向Ｙの先端側の端部に向けて延びている。この場合では、上記反力が作用するカバータブ部４２に対して部分的にカバー隣接部４３が隔絶されることになるものの、カバースリット部４１ｓを設けない場合と比較して、カバータブ部４２からカバー隣接部４３に上記反力が作用しにくくすることはできる。また、上記のようにカバータブ部４２とカバー隣接部４３とが部分的に隔絶されない形態では、カバータブ部４２及びカバー隣接部４３の端部から立設するカバー連結部４７を省略してもよい。この場合、カバータブ部４２とカバー隣接部４３との間にてカバースリット部４１ｓが形成されない第１絶縁カバー４１の部分が、カバータブ部４２とカバー隣接部４３とを連結するカバー連結部として機能する。
【００５８】
○  第１絶縁カバー４１への第２絶縁カバー５１の係合態様は適宜変更可能である。
○  第１絶縁カバー４１及び第２絶縁カバー５１は長手方向両側で異なる構成を備えるものであってもよい。この場合では、例えば第１絶縁カバー４１の長手方向一方側におけるカバースリット部４１ｓと長手方向他方側におけるカバースリット部４１ｓとで第１方向Ｘの先端側の端部からの延設長さを異ならせてもよい。また、第１絶縁カバー４１や第２絶縁カバー５１において、長手方向の一方側と他方側とで、蓋構成部材Ｗへの係合態様を異ならせてもよい。
【００５９】
○  絶縁カバー４０は、第１絶縁カバー４１のカバータブ部４２、カバー隣接部４３、及びカバースリット部４１ｓと同構成の部位を有していれば、構成部材は１つであってもよいし、３つ以上であってもよい。
【００６０】
○  絶縁フィルムＦにより電極組立体１２の周囲を覆うようにしていたが、例えば絶縁フィルムＦを省略してケース本体１３内の内側面に絶縁塗料を塗布してもよい。
○  電極組立体１２は、長尺帯状の正極電極と、長尺帯状の負極電極とを、長尺帯状のセパレータを介して捲回した捲回型であってもよい。
【００６１】
○  蓋１４は、蓋インロー部１６ｂを備えず、板状の全体形状を有するものであってもよい。また、蓋１４は、ケース本体１３の開口部１３ａの開口面に沿う大きさと同程度の寸法を備え、ケース本体１３の開口部１３ａに全体を挿入することでケース本体１３に組み付けられるものであってもよい。
【００６２】
○  二次電池１０は、円筒型等、角型以外の形状の電池であってもよい。
○  二次電池１０は、リチウムイオン電池であったが、これに限らず、他の二次電池であってもよい。
【００６３】
○  蓄電装置は、二次電池でなく、電気二重層キャパシタ等の他の蓄電装置に適用してもよい。
【符号の説明】
【００６４】
Ｗ…蓋構成部材、１０…二次電池、１１…ケース、１２…電極組立体、１３…ケース本体、１３ａ…開口部、１４…蓋、１５…電極端子、１７…導電部材、２１…正極電極、２２…負極電極、２５…正極タブ、２５ａ…正極タブ群、２６…負極タブ、２６ａ…負極タブ群、２７ａ…第１曲部、２７ｂ…第１延設部、２７ｃ…第２曲部、２７ｄ…第２延設部、４０…絶縁カバー、４１…第１絶縁カバー、４１ｓ…カバースリット部、４２…カバータブ部、４３…カバー隣接部、４５ｃ…カバー係合部、４７…カバー連結部、５１…第２絶縁カバー。
【図１】
2020166955.tif 000003
【図２】
2020166955.tif 000004
【図３】
2020166955.tif 000005
【図４】
2020166955.tif 000006
【図５】
2020166955.tif 000007
【図６】
2020166955.tif 000008
【図７】
2020166955.tif 000009
【図８】
2020166955.tif 000010
【図９】
2020166955.tif 000011